(57)【要約】【課題】  可及的に少ないセンサで寝台上の対象者の落下を回避することができ、それによってセンサの設置作業を容易にし得、またセンサに要する部品コストを軽減することができる監視装置を提供する。【解決手段】  病室Ｒ内のベッドＢの足元側又は頭部側、好ましくは足元側には検出器５が配設してあり、該検出器５は当該ベッドＢの表面から所定寸法以上高い領域に対象者が存在する場合にそれを検出し、警報信号を発信するようになっている。これによって検出器５は、ベッドＢ上の対象者が上半身を起こした場合にそれを検出する一方、ベッド上に横臥している対象者は検出しない。また、病室Ｒ内には、対応する検出器５からの警報信号を受信する送受信器６も配設してあり、送受信器６は対応する検出器５から警報信号を受信した場合、当該警報信号を病室Ｒより外方へ送信するようになっている。【選択図】  図１
0003215201.tif 000002
【実用新案登録請求の範囲】
【請求項１】
対象者が横臥する寝台又は当該寝台の近傍に配置され、赤外線検出素子にて前記寝台に横臥した対象者の存否を検出して信号を出力する検出器と、該検出器からの信号を受信して警報を報知する報知器とを備える監視装置であって、
前記検出器は、前記寝台の表面から所定高さ位置までの領域を非検出領域に、また、前記寝具の表面に対向し、前記非検出領域より高い領域を検出領域になしてあり、
前記検出器は、前記赤外線検出素子から検出信号が、予め定めた時間の間以上与えられた場合に、警報信号を出力する信号出力手段を具備する
ことを特徴とする監視装置。
【請求項２】
前記検出器の検出領域は水平位置から適宜仰角の位置までの間に設定してあり、
該検出器は前記寝台の表面から所要高さの位置に配設されるようになっている
請求項１記載の監視装置。
【請求項３】
前記信号出力手段は、赤外線検出素子からの検出信号を遅延させる遅延回路と、対をなす入力端子を設けてなる比較器と、警報信号を発生する警報信号発生回路とを有し、
前記比較器の一方の入力端子と前記遅延回路の出力端子とが接続してあり、比較器の他方の入力端子と前記赤外線検出素子の出力端子とが接続してあり、
比較器は両入力端子に信号が入力された場合、警報信号発信回路から警報信号を発信させるように構成してある
請求項１又は２記載の監視装置。
【請求項４】
前記遅延回路は少なくとも２つ設けてあり、一方の遅延回路の遅延時間は他方の遅延回路の遅延時間より長くしてあり、
前記検出器には、両遅延回路を切り替えるための切替器が設けてある
請求項１から３のいずれかに記載の監視装置。
【請求項５】
前記検出器から出力された警報信号を受信して前記報知器へ送信する送受信器を更に備える請求項１から４のいずれかに記載の監視装置。
【請求項６】
対象者が横臥する寝台又は当該寝台の近傍に配置され、前記寝台上の対象者を撮像する撮像器を更に備え、前記検出器から警報信号が出力されたとき、前記撮像器から報知器へ撮像信号が送信されるように構成してある請求項１から５のいずれかに記載の監視装置。
【請求項７】
前記報知器に替えて又は前記報知器に加えて、
１又は複数の携帯端末器と、
前記警報信号を受信して前記携帯端末器へ送信する通信器と
を更に備え、
前記携帯端末器は、通信器から警報信号が送信された場合、警報を報知するようになしてある
請求項１から５のいずれかに記載の監視装置。
【請求項８】
前記報知器に替えて又は前記報知器に加えて、
１又は複数の携帯端末器と、
前記警報信号及び撮像信号を受信して前記携帯端末器へ送信する通信器と
を更に備え、
前記携帯端末器は、通信器から警報信号及び撮像信号が送信された場合、警報を発し、また撮像信号に係る画像を表示するようになしてある
請求項６記載の監視装置。
【請求項９】
前記検出器は焦電型の赤外線検出素子を具備する請求項１から８のいずれかに記載の監視装置。
【考案の詳細な説明】
【技術分野】
【０００１】
本考案は、寝台上の対象者を監視するための監視装置に関する。
【背景技術】
【０００２】
例えば、入院している患者が就寝中にベッドから転落した場合、又は、認知症を発症した患者が起床して院内を徘徊する場合等、寝床上の対象者が離床した場合に、看護師又は介護士等がかかる事実を早急に察知しないと重大事故に繋がる可能性があるため、寝床上の対象者の状態を監視して、対象者の離床を検出すると、看護師又は介護士等が待機するステーションというように、対象者から離隔した場所へ通知するようになした装置が開発されている。そのような監視装置として後述する特許文献１には、次のようなものが開示されている。
【０００３】
図６は特許文献１に開示された監視装置の使用様態を示す模式図であり、（ａ）は平面図、（ｂ）は側面図である。監視装置は、ベッドＢ上に検知範囲を有する第１赤外線センサ１１と、ベッドＢの側方であって当該ベッドＢの上方に検知範囲を有する第２赤外線センサ１２，１２と、第１赤外線センサ１１及び第２赤外線センサ１２，１２からの出力に応じて、ベッド上に対象者が存在するか否かを判断する判断手段と、判断手段による判断結果を表示する表示部（共に図示せず）とを備えている。前述した第１赤外線センサ１１は、ベッドＢの頭側の端の中央であって寝床から０．３ｍ上方の位置に配設されており、第１赤外線センサ１１の検知範囲Ｄ１１は上下方向が水平位置から俯角５０°までの範囲であり、左右方向がベッドＢの幅方向の中央を通る中心軸から左右方向へ１５°までの領域になしてある。第１赤外線センサ１１によって、ベッドＢ上に横臥する対象者Ｈを検知することができる。
【０００４】
一方、第２赤外線センサ１２，１２は、第１赤外線センサ１１から左右方向へ０．１ｍずつ隔てた位置に配してあり、両第２赤外線センサ１２，１２の検知範囲Ｄ１２，Ｄ１２は、上下方向が水平位置から仰角３０°までの範囲であり、左右方向は、ベッドＢの幅方向の中央を通る中心軸に平行であって、第２赤外線センサ１２，１２を通る軸から左右方向へ１５°から４５°までの領域になしてある。第２赤外線センサ１２，１２によって、ベッドＢの側方に起立した対象者Ｈを検知することができる。
【０００５】
ベッドＢ上に横臥している対象者Ｈが上半身を起こして、ベッドＢの側方に腰掛け、更に、ベッドＢの側方の位置に起立した場合、まずベッドＢ上における対象者Ｈの動きを第１赤外線センサ１１が検知して、判断手段へ出力する。次に、対象者ＨがベッドＢ上からベッドＢの側方へ移動し、そこで起立するため、いずれかの第２赤外線センサ１２，１２がそれを検知して、判断手段へ出力する一方、第１赤外線センサ１１の検知範囲Ｄ１１から対象者Ｈが存在しなくなるため、第１赤外線センサ１１から判断手段への出力が停止する。判断手段は、第１赤外線センサ１１及び両第２赤外線センサ１２，１２からの出力がこのように変化した場合、対象者ＨがベッドＢの側方に起立したと判断して、その結果を表示部に表示させる。表示部は例えば看護師ステーションに配設されており、看護師ステーションに待機している看護師は、対象者の起立を検知した結果が表示部に表示されると、当該対象者の看護に向かうことができるようになっている。
【先行技術文献】
【特許文献】
【０００６】
【特許文献１】特開平９−６６０７７号公報
【考案の概要】
【考案が解決しようとする課題】
【０００７】
しかしながら、このような従来の監視装置にあっては、第１赤外線センサ１１及び両第２赤外線センサ１２，１２の３つのセンサが必要であるため、各センサ１１，１２，１２の設置が煩雑である上に、各センサ１１，１２，１２に要する部品コストが高い。一方、判断手段は第１赤外線センサ１１からの出力が入力された後に、第２赤外線センサ１２，１２からの出力が入力されるとともに、第１赤外線センサ１１からの出力が停止された場合に表示部に表示させる、即ち、ベッドＢ上の対象者ＨがベッドＢから離隔して初めて表示部に表示させるようになっているため、対象者Ｈへの対応が遅く、例えば対象者ＨのベッドＢからの落下を回避することができないという問題があった。
【０００８】
本考案は斯かる事情に鑑みてなされたものであって、可及的に少ないセンサで、寝台上の対象者に迅速に対応することができ、また、それによってセンサの設置作業を容易にし得、センサに要する部品コストを軽減することができる監視装置を提供する。
【課題を解決するための手段】
【０００９】
（１）本考案に係る監視装置は、対象者が横臥する寝台又は当該寝台の近傍に配置され、赤外線検出素子にて前記寝台に横臥した対象者の存否を検出して信号を出力する検出器と、該検出器からの信号を受信して警報を報知する報知器とを備える監視装置であって、前記検出器は、前記寝台の表面から所定高さ位置までの領域を非検出領域に、また、前記寝具の表面に対向し、前記非検出領域より高い領域を検出領域になしてあり、前記検出器は、前記赤外線検出素子から検出信号が、予め定めた時間の間以上与えられた場合に、警報信号を出力する信号出力手段を具備することを特徴とする。
【００１０】
本考案の監視装置にあっては、赤外線検出素子にて寝台に横臥した対象者の存否を検出して信号を出力する検出器と、この検出器からの信号を受信して警報を報知する報知器とを備えている。ここで、検出器は、例えば監視の対象者が横臥する寝台のフレーム、又は、この寝台の近傍の壁若しくは支持部材等に配置されるようになっている。
【００１１】
このように本監視装置は、一人の対象者に対して１台の検出器を設置するだけであるので、検出器の設置作業を容易に行うことができる。また、検出器に要するコストを可及的に低減することができる。
【００１２】
ところで、前述した検出器は、寝台の表面から所定高さ位置までの領域を非検出領域に、また、当該寝具の表面に対向し、前記非検出領域より高い領域を検出領域になしてある。一方、検出器は警報信号を出力する信号出力手段を具備しており、該信号出力手段は、赤外線検出素子から検出信号が、予め定めた時間の間以上与えられた場合に警報信号を出力する。
【００１３】
このように、寝台の表面から所定高さ位置までの領域を非検出領域にしてあるため、対象者が寝台に横臥している場合は、寝返りを打ったとしても、寝台上の対象者は検出器の非検出領域内であるので、検出器はそれを検出しない。これによって、１台の検出器であっても誤検出を可及的に低減することができる。
【００１４】
一方、寝台に横臥していた対象者が上半身を起こした場合、対象者の上半身が検出器の検出領域に進入するため、検出器はそれを検出し、信号出力手段は警報信号を出力可能となる。このように、寝台に横臥していた対象者が上半身を起こしたタイミングで、検出器が対象者を検出するため、寝台上の対象者に迅速に対応することができる。
【００１５】
ここで、寝台から落下する可能性が高い対象者に対しては多くの場合、寝台の両側部に柵といった落下防止部材が取り付けられており、かかる場合に対象者が寝台から転落するには、いずれかの転落防止部材を乗り越える必要があるが、その際、対象者が上半身を起こすので、検出器がこれを検出して警報信号を発信するため、看護師による処置が実施され、対象者が寝台から転落することを防止することができる。
【００１６】
更に、対象者によっては、横臥状態から上半身を短時間だけ起こした後、迅速に再横臥するという動作を行う場合があるが、かかる動作については特段の問題も無く、看護師による対応が不要であるため、検出器から警報信号の発信を回避することが要求される。本監視装置にあっては、前述した如く信号出力手段が、赤外線検出素子から検出信号が、予め定めた時間の間以上与えられた場合に警報信号を出力するように構成してあるため、かかる要求を満足することができる。
【００１７】
（２）本考案に係る監視装置は、前記検出器の検出領域は水平位置から適宜仰角の位置までの間に設定してあり、該検出器は前記寝台の表面から所要高さの位置に配設されるようになっていることを特徴とする。
【００１８】
本考案の監視装置にあっては、検出器の検出領域は水平位置から適宜仰角の位置までの間に設定してあり、該検出器は前記寝台の表面から所要高さの位置に配設されるようになっており、これによって前述した検出領域と非検出領域とが形成される。ここで、仰角は２０°程度以上２５°程度以下設定することができる。
【００１９】
（３）本考案に係る監視装置は、前記信号出力手段は、赤外線検出素子からの検出信号を遅延させる遅延回路と、対をなす入力端子を設けてなる比較器と、警報信号を発生する警報信号発生回路とを有し、前記比較器の一方の入力端子と前記遅延回路の出力端子とが接続してあり、比較器の他方の入力端子と前記赤外線検出素子の出力端子とが接続してあり、比較器は両入力端子に信号が入力された場合、警報信号発信回路から警報信号を発信させるように構成してあることを特徴とする。
【００２０】
本考案の監視装置にあっては、前述した信号出力手段は、赤外線検出素子からの検出信号を遅延させる遅延回路と、対をなす入力端子を設けてなる比較器と、警報信号を発生する警報信号発生回路とを有している。この比較器の一方の入力端子と遅延回路の出力端子とが接続してあり、また、比較器の他方の入力端子と赤外線検出素子の出力端子とが接続してある。そして、比較器は両入力端子に信号が入力された場合、すなわち、遅延回路に設定された遅延時間の間、継続して赤外線検出素子からの検出信号が比較器に入力された場合、警報信号発信回路から警報信号を発信させる。このように比較的簡単な構成で信号出力手段を形成することができ、部品コストを可及的に廉価にすることができる。
【００２１】
（４）本考案に係る監視装置は、前記遅延回路は少なくとも２つ設けてあり、一方の遅延回路の遅延時間は他方の遅延回路の遅延時間より長くしてあり、前記検出器には、両遅延回路を切り替えるための切替器が設けてあることを特徴とする。
【００２２】
本考案の監視装置にあっては、遅延回路は少なくとも２つ設けてあり、一方の遅延回路の遅延時間は他方の遅延回路の遅延時間より長くしてある。そして、検出器には、両遅延回路を切り替えるための切替器が設けてある。対象者が上半身を起き上がらせた後再度横臥する動作が相対的に短時間である場合は、切替スイッチといった切替器にて他方の遅延回路と比較器とを接続させ、対象者の上記動作がゆっくりであり、相対的に長時間を要する場合は、切替器にて一方の遅延回路と比較器とを接続させておく。これによって、監視装置は複数の対象者それぞれに応じて、適切に監視を行うことができる。
【００２３】
（５）本考案に係る監視装置は、前記検出器から出力された警報信号を受信して前記報知器へ送信する送受信器を更に備えることを特徴とする。
【００２４】
本考案の監視装置にあっては、検出器から出力された警報信号を受信して報知器へ送信する送受信器を更に備えている。検出器と報知器とは距離を隔てて配置されるため、警報信号を報知器へ送信する場合はそれなりの消費電力が負荷される。そのため、検出器から報知器へ直接、警報信号を出力する場合、コンセント等の外部電力に接続するコードを設ける構成にする必要があり、かかる場合、検出器の配置に制限がかかる。これに対して、検出器から出力された警報信号を受信して報知器へ送信する送受信器を設けた場合、検出器の消費電力を可及的に低減することができるため、当該消費電力は内蔵バッテリで対応することができる。これによって外部電力への接続が不要となり、検出器を任意の場所に配置することができる。
【００２５】
（６）本考案に係る監視装置は、対象者が横臥する寝台又は当該寝台の近傍に配置され、前記寝台上の対象者を撮像する撮像器を更に備え、前記検出器から警報信号が出力されたとき、前記撮像器から報知器へ撮像信号が送信されるように構成してあることを特徴とする。
【００２６】
本考案の監視装置にあっては、寝台上の対象者を撮像する撮像器を更に備えている。かかる撮像器は、前述した検出器と同様に、対象者が横臥する寝台又は当該寝台の近傍に配置されるようになっている。そして、検出器から警報信号が出力されたとき、撮像器から報知器へ撮像信号が送信される。これによって、検出器から離隔した場所において、警報信号が発信された寝台の対象者の状況を撮像信号に係る画像にて把握することができる。かかる画像からは、緊急な対応・処置が必要か否かを判断することができ、対象者にとって正確な対応を施すことができる。
【００２７】
（７）本考案に係る監視装置は、前記報知器に替えて又は前記報知器に加えて、１又は複数の携帯端末器と、前記警報信号を受信して前記携帯端末器へ送信する通信器とを更に備え、前記携帯端末器は、通信器から警報信号が送信された場合、警報を報知するようになしてあることを特徴とする。
【００２８】
本考案の監視装置にあっては、報知器に替えて又は前記報知器に加えて、１又は複数の携帯端末器を備えており、携帯端末器には検出器から通信器を介して、警報信号が送信されるようになっている。そして、携帯端末器は、通信器から警報信号が送信された場合、警報を報知する。看護師又は介護士等が複数の対象者を巡回している際に、他の対象者が横臥する寝台に配置された検出器から警報信号が発信された場合であっても、当該看護師又は介護士等は携帯端末器によってそれを知ることができ、迅速な対応を取ることができる。
【００２９】
（８）本考案に係る監視装置は、前記報知器に替えて又は前記報知器に加えて、１又は複数の携帯端末器と、前記警報信号及び撮像信号を受信して前記携帯端末器へ送信する通信器とを更に備え、前記携帯端末器は、通信器から警報信号及び撮像信号が送信された場合、警報を発し、また撮像信号に係る画像を表示するようになしてあることを特徴とする。
【００３０】
本考案の監視装置にあっては、報知器に替えて又は前記報知器に加えて、１又は複数の携帯端末器を備えており、携帯端末器には検出器及び撮像器から通信器を介して、警報信号及び撮像信号が送信されるようになっている。そして、携帯端末器は、通信器から警報信号が送信された場合、警報を発し、また撮像信号に係る画像を表示する。看護師又は介護士等が複数の対象者を巡回している際に、他の対象者が横臥する寝台に配置された検出器から警報信号が発信された場合であっても、当該看護師又は介護士等は携帯端末器によって警報を知り、更に撮像信号に係る画像を視認することができる。これによって、対象者にとって正確な対応を迅速に施すことができる。
【００３１】
（９）本考案に係る監視装置は、前記検出器は焦電型の赤外線検出素子を具備することを特徴とする。
【００３２】
本考案の監視装置にあっては、検出器は焦電型の赤外線検出素子を具備するため、所定温度を有する対象者の動きを検出することができる。従って、対象者が動いていない場合、又はカーテン等所定の温度を有さない物体は、赤外線検出素子によって検出されず、監視装置による監視精度が高い。
【図面の簡単な説明】
【００３３】
【図１】本考案に係る監視装置の一構成例を説明する説明図である。
【図２】図１に示した検出器の使用様態を示す模式図である。
【図３】図１及び図２に示した検出器の一構成例を示すブロック図である。
【図４】第２の形態に係る監視装置の構成を説明する説明図である。
【図５】図４に示した撮像器の使用様態を示す模式図である。
【図６】特許文献１に開示された監視装置の使用様態を示す模式図である。
【考案を実施するための形態】
【００３４】
本考案に係る監視装置を図面に基づいて詳述する。
なお、本実施の形態で説明する監視装置は、本考案の趣旨を説明する一例であり、本考案はその趣旨を逸脱しない範囲での変形や改造を含むことはいうまでもない。
【００３５】
（考案を実施するための第１の形態）
図１は本考案に係る監視装置の一構成例を説明する説明図であり、病院に適用した場合を示している。病院には複数の病室Ｒ，Ｒ，…が設けてあり、各病室Ｒ，Ｒ，…には平面視が長方形状のベッド（寝台）Ｂ，Ｂ，…がそれぞれ配設してある。なお、図１にあっては、各病室Ｒ，Ｒ，…に１台のベッドＢ，Ｂ，…を配設した場合を示しているが、任意の病室Ｒ，Ｒ，…に複数台のベッドＢ，Ｂ，…を配設してもよいことは言うまでもない。
【００３６】
病室Ｒ内のベッドＢの足元側又は頭部側、好ましくは足元側には検出器５が配設してあり、該検出器５は後述するように当該ベッドＢの表面から所定寸法以上高い領域に対象者が存在する場合にそれを検出し、警報信号を発信するようになっている。これによって検出器５は、ベッドＢ上の対象者が上半身を起こした場合にそれを検出する一方、ベッド上に横臥している対象者が寝返りを打った場合であってもこれを検出しない。また、病室Ｒ内には、対応する検出器５からの警報信号を受信する送受信器６も配設してあり、送受信器６は対応する検出器５から警報信号を受信した場合、当該警報信号を病室Ｒより外方へ送信するようになっている。
【００３７】
一方、各病室Ｒ，Ｒ，…から距離を隔てた位置には、看護師が待機する看護師ステーションＳが設けてあり、看護師ステーションＳには、各病室Ｒ，Ｒ，…に配設された送受信器６，６，…から送信された警報信号を受信した場合、警報信号が発進された病室の番号及び警報を、光及び/又は音及び/又は表示等によって報知する報知器２が配設してある。
【００３８】
看護師ステーションＳ内の看護師は、報知器２によって警報が報知された場合、警報信号が発進された病室Ｒの番号を確認して、インターホンといった通信器を用いて当該病室Ｒの対象者と連絡を取り、対象者の状況を確認し、及び/又は、当該病室Ｒへ移動して、必要な処置を施す。
【００３９】
ここで、検出器５から看護師ステーションＳの報知器２へ警報信号を直接送信する場合、両者間に距離があるため、検出器５は所要の電力を消費する。そのため、検出器５には、コンセント等の外部電力に接続するコードを設ける構成にする必要があり、かかる場合、検出器５をベッドＢ等に配置し得る範囲に制限がかかる。これに対して、検出器５から出力された警報信号を送受信する送受信器６を設けた場合、検出器５の消費電力を可及的に低減することができるため、当該消費電力は内蔵バッテリで対応することができる。図１に示した検出器５には後述する如くバッテリが内蔵されており、従って本検出器５は任意の場所に配置することができる。
【００４０】
図２は図１に示した検出器５の使用様態を示す模式図であり、（ａ）は平面図、また（ｂ）は側面図である。なお、図２中、図１に示した部分に対応する部分には同じ番号が付してある。
【００４１】
図２（ａ）（ｂ）に示したように、検出器５はベッドＢの足元側の略中央の位置に配置してある。この検出器５の検出領域は左右方向及び鉛直方向へ広がっており、左右方向の検出領域をＤ１、鉛直方向の検出領域をＤ２とすると、検出領域Ｄ１の検出器５から左右方向へ広がる角αはベッドＢの幅寸法及び長さ寸法に応じて定めてある。ここで、病室に設置されるシングルベッドの幅寸法は多くの場合、略１００ｃｍから略１２０ｃｍであり、長さ寸法は略２００ｃｍである。ベッドＢがかかる寸法である場合、前述した検出領域Ｄ１の検出器５から左右方向へ広がる角αは２５°程度に設定するとよい。これによって検出領域Ｄ１は、ベッドＢの中央部分、即ち対象者Ｈが横臥している可能性が高い領域について、ベッドＢの長手方向の全領域でカバーすることができる。なお、かかる角αは２０°程度以上２５°程度以下に設定するとよい。
【００４２】
一方、図２（ｂ）に示したように、検出器５はベッドＢの表面から適宜高さの位置に取り付けてある。検出器５の取付高さは対象者Ｈの厚さ寸法に応じて、当該対象者ＨがベッドＢ上に横臥している状態では検出器５の検出領域Ｄ２に入らないように定めてあり、これによって検出器５がベッドＢ上の対象者Ｈを検出しない非検出領域Ｎが形成されている。後述するように検出器５の鉛直方向の検出領域Ｄ２は、水平位置より上方に設定してあり、対象者ＨがベッドＢ上で横を向いたときの骨盤の高さ寸法を考慮すると、非検出領域Ｎの高さ寸法は、５０ｃｍ程度乃至６０ｃｍ程度に設定するとよい。
【００４３】
なお、検出器５はベッドＢのフレームに取り付けもよいし、適宜の支持部材又は支持具に取り付けてもよい。後者の場合、支持部材とベッドＢとの間隙は可及的に狭くして、検出器５の検出領域Ｄ１，Ｄ２内にベッドＢ上の対象者Ｈ以外の者又は物が侵入しないようにしておく。
【００４４】
また、検出器５の鉛直方向の検出領域Ｄ２は、水平位置から適宜の仰角βまでの範囲になるように設定してある。この仰角βはベッドＢの長さ寸法に応じて定めてあり、ベッドＢが前述したシングルベッドの寸法である場合、仰角βは２０°程度以上２５°程度以下に設定するとよい。
【００４５】
このように、検出器５をベッドＢの表面から適宜高さの位置に取り付け、また、検出器５の検出領域Ｄ１，Ｄ２を左右方向及び鉛直方向において前述した範囲になすことによって、ベッドＢの表面から所定高さ位置まで非検出領域Ｎが設けてあるため、対象者ＨがベッドＢに横臥している場合は、寝返りを打ったとしても、ベッドＢ上の対象者Ｈは検出器５の非検出領域Ｎ内であるので、検出器５はそれを検出しない。これによって、１台の検出器５であっても誤検出を可及的に低減することができる。
【００４６】
また、本監視装置１は、１つの監視対象に対して１台の検出器５を設置するだけであるので、検出器５の設置作業を容易に行うことができる。また、検出器５に要するコストを可及的に低減することができる。
【００４７】
一方、ベッドＢに横臥していた対象者Ｈが上半身を起こした場合、対象者Ｈの上半身が検出器５の検出領域Ｄ１，Ｄ２に進入するため、検出器５はそれを検出して前述した如く警報信号を発信する。このように、ベッドＢに横臥していた対象者Ｈが上半身を起こしたタイミングで、検出器５が対象者Ｈを検出するため、ベッドＢ上の対象者Ｈに対して迅速に対応することができ、ベッドＢ上の対象者ＨのベッドＢからの落下も回避することができる。
【００４８】
すなわち、ベッドＢから落下する可能性が高い対象者Ｈに対しては多くの場合、図２（ａ）（ｂ）に示したように、その両側部には、柵といった落下防止部材Ｂ１，Ｂ１、Ｂ１，Ｂ１が着脱可能に取り付けられたベッドＢが適用される。かかる場合に対象者ＨがベッドＢから転落するには、いずれかの転落防止部材Ｂ１，Ｂ１、Ｂ１，Ｂ１を乗り越える必要があるが、その際、対象者Ｈが上半身を起こすので、検出器５がこれを検出して警報信号を発信するため、対象者ＨがベッドＢから転落する前に、看護師ステーションＳの報知器２が作動し、看護師による処置が実施されるのである。
【００４９】
ここで、検出器５は焦電型の赤外線検出素子を内蔵しており、これによって検出器５は適宜の体温を有する対象者Ｈが検出領域Ｄ１，Ｄ２に進入した場合に当該対象者Ｈの検出を行うことができるが、寝具又はカーテン等、適宜の温度を有さない物体が検出領域Ｄ１，Ｄ２に進入した場合であっても、当該物体の検出は行わない。このように、検出器５は内蔵する赤外線検出素子によって、適宜の体温を有する対象者Ｈが検出領域Ｄ１，Ｄ２に進入した場合だけを検出するようになしてあるため、１台の検出器５であっても誤検出を可及的に低減することができる。
【００５０】
図３は図１及び図２に示した検出器５の一構成例を示すブロック図である。
検出器５は、焦電型の赤外線検出素子５１、該赤外線検出素子５１が出力した検出信号を遅延させる第１遅延回路５３及び第２遅延回路５４を備えており、赤外線検出素子５１と第１遅延回路５３及び第２遅延回路５４との間には、両遅延回路５３，５４を切り替えるための切替スイッチ（切替器）５２が介装してある。ここで、第１遅延回路５３は前記検出信号の遅延時間が第２遅延回路５４より相対的に短くなしてあり、第２遅延回路５４は前記検出信号の遅延時間が第１遅延回路５３より相対的に長くなしてある。例えば、第１遅延回路５３の遅延時間は２秒に設定してあり、一方、第２遅延回路５４の遅延時間は４秒に設定してある。
【００５１】
第１遅延回路５３及び第２遅延回路５４の出力端子は比較器５５に設けられた一方の入力端子に接続してあり、比較器５５に設けられた他方の入力端子には赤外線検出素子５１の出力端子から直接、検出信号が入力されるようになっている。そして、比較器５５は両入力端子に検出信号が入力されている場合、警報発信回路５６をして警報信号を発信させるようになっている。なお、これら赤外線検出素子５１、第１遅延回路５３、第２遅延回路５４、比較器５５及び警報発信回路５６等にはバッテリ６０から給電されるようになっている。
【００５２】
これによって、図２及び図３に示した検出領域Ｄ１，Ｄ２内に対象者Ｈが、第１遅延回路５３又は第２遅延回路５４に設定された遅延時間以上、例えば２秒又は４秒間以上、存在する場合に、検出器５から警報信号が発信される。
【００５３】
対象者Ｈによっては、横臥状態から上半身を短時間だけ起こした後、迅速に再横臥するという動作を行う場合があるが、かかる動作については特段の問題も無く、看護師による対応が不要であるため、検出器５から警報信号の発信を回避することが要求される。これに対して、検出器５を前述した如く構成することによって、かかる要求を満足することができる。
【００５４】
ここで、対象者Ｈの上記動作が相対的に短時間である場合は、切替スイッチ５２にて第１遅延回路５３と比較器５５とを接続させ、対象者Ｈの上記動作がゆっくりであり、相対的に長時間を要する場合は、切替スイッチ５２にて第２遅延回路５４と比較器５５とを接続させておく。これによって、監視装置は複数の対象者それぞれに応じて、適切に監視を行うことができる。
【００５５】
なお、本実施の形態では、第１遅延回路５３又は第２遅延回路５４及び比較器５５を用いた場合について説明したが、本考案はこれに限らず、検出領域Ｄ１，Ｄ２内に対象者Ｈが所定時間以上存在する場合に警報信号を発信するような構成であれば、第１遅延回路５３又は第２遅延回路５４及び比較器５５以外の構成を適用し得ることは言うまでもない。
【００５６】
また、本実施の形態では、検出器５に、切替スイッチ５２、第１遅延回路５３、第２遅延回路５４、比較器５５及び警報発信回路５６を設けた場合について説明したが、本考案はこれに限らず、送受信器６に、切替スイッチ５２、第１遅延回路５３、第２遅延回路５４、比較器５５及び警報発信回路５６を設けてもよい。これによって、検出器５の消費電力を可及的に抑制して、バッテリ６０の交換タイミングをより遅くすることができる。
【００５７】
（考案を実施するための第２の形態）
図４は第２の形態に係る監視装置の構成を説明する説明図であり、警報信号の発信と並行して対象者を撮像した撮像信号を携帯端末器に転送し得るようになっている。なお、図中、図１に示した部分に対応する部分には同じ番号を付してその説明を省略する。
【００５８】
図４に示したように、各病室Ｒ，Ｒ，…には、そこに配置された各ベッドＢ，Ｂ，…上及びその周囲を撮像する撮像器７，７，…がそれぞれ配設してあり、撮像器７，７，…が撮像して得た撮像信号は前述した送受信器６，６，…に与えられるようになっている。なお、病院にあっては、監視対象期間を夜間に設定することが多いため、撮像器７，７，…として赤外線カメラを用いるとよい。
【００５９】
図５は図４に示した撮像器７の使用様態を示す模式図であり、（ａ）は平面図、また（ｂ）は側面図である。なお、図５中、図２に対応する部分には同じ番号を付して、その説明を省略する。
【００６０】
撮像器７は、図５（ａ）に示したように、ベッドＢの足元側の端部から少し距離を隔てた位置であって、また、図５（ｂ）に示したように、ベッドＢの表面から適宜高さの位置に配置するのが好ましい。かかる撮像器７の配置は、ベッドＢの頭部側の端部から少し距離を隔てた位置であってよいし、また図４に示した病室Ｒの壁でもよく、点滴スタンドといった支持部材に支持させるようにしてもよい。
【００６１】
そして、撮像器７の撮像範囲は図５（ａ）（ｂ）に示したように、ベッドＢ上の略全面と、ベッドＢの周囲に設定してある。これによって、撮像器７は、対象者ＨがベッドＢ上に横臥している場合、ベッドＢ上で上半身を起こした場合、ベッドＢから落下した場合等、いずれの場合も撮像することができるようになっている。
【００６２】
なお、撮像器７の配設位置は、ベッドＢの全面、及びベッドＢの周囲を撮像し得るように、例えば病室Ｒの天井であってもよい。
【００６３】
一方、前述したように各送受信器６，６，…には、対応する検出器５，５，…から警報信号も与えられるようになっており、送受信器６，６，…は対応する検出器５，５，…から警報信号が与えられた場合、当該警報信号を送信するとともに、対応する撮像器７，７，…から与えられる撮像信号を、例えば警報信号が与えられてから１分間乃至２分間というように、所定時間だけ送信するようになっている。なお、撮像信号の送信と並行して、当該画像信号を記録し得るように構成してもよい。
【００６４】
なお、このように撮像器７から送受信器６へ撮像信号を常時出力させておき、送受信器６が検出器５から警報信号を与えられてから所定時間だけ送信するようにしてもよいが、送受信器６が検出器５から警報信号を与えられた場合、送受信器６から対応する撮像器７へ出力指令を与えて、当該撮像器７に所定時間だけ撮像動作を実行させ、撮像器７から与えられた撮像信号を送信するようになしてもよい。
【００６５】
前述した看護師ステーションＳには、図１に示した報知器２に替えて、又は、報知器２（図示せず）とともに、ルータといった通信器３、及びパーソナルコンピュータ又はタブレット型コンピュータ等の端末器４が配設してあり、送受信器６，６，…から送信された警報信号及び撮像信号は通信器３によって受信されて端末器４へ与えられる。端末器４は画像を表示する表示部と音声を出力するスピーカとを設けてなるモニタを具備しており、警報信号及び撮像信号が与えられると、警報情報、警報信号が発信された病室Ｒの番号といった病室情報、及び、対象者の氏名・病名等の対象者情報、並びに撮像信号に基づく画像をモニタに表示させ、また警報音を出力させる。なお、前述した対象者情報については、端末器４に記憶しておいてもよいし、病院内に予め設けてある情報システム（ＨＩＳ（Ｈｏｓｐｉｔａｌ  Ｉｎｆｏｒｍａｔｉｏｎ  Ｓｙｓｔｅｍ））のデータベースから読み出すようにしてもよい。
【００６６】
一方、各病室Ｒ，Ｒ，…を巡回する1又は複数の看護師にはスマートフォンといった携帯端末器８、８，８，…が配付してあり、この携帯端末器８、８，８，…にも前述した通信器３から警報信号及び撮像信号が送信されるようになっている。携帯端末器８、８，８，…は、通信器３から警報信号及び撮像信号が送信されると、音及び／又は振動によって警報を報知するとともに、前記病室情報及び撮像信号に基づく画像を表示する。
【００６７】
病院内の看護師は、看護師ステーションＳに待機している際にいずれかの検出器５から警報信号が発信された場合、看護師ステーションＳに配設された端末器４によって、また携帯端末器８を所持する際には当該携帯端末器８及び前記端末器４によって、警報を知り、また画像を確認して対象者の状況を把握する。そして、看護師は処置の必要があると判断した場合、該当する病室Ｒへ急行する。一方、看護師は処置が必要か否か判断できない場合、予め設置してあるインターホン等を用いて音声で対象者に語り掛け、処置が必要と判断すると該当する病室Ｒへ向かう一方、処置が必要でないと判断するとそのまま待機する。
【００６８】
また、巡回中の看護師にあっては、所持する携帯端末器８によって、警報を知り、また画像を確認して対象者の状況を把握する。そして、看護師は処置の必要があると判断した場合、該当する病室へ急行する。一方、看護師は処置が必要か否か判断できない場合、携帯端末器８に表示される画像を暫く観察し、その結果、処置が必要と判断すると該当する病室へ向かう一方、処置が必要でないと判断するとそのまま巡回を継続する。
【００６９】
なお、前述した撮像信号は送受信器６，６，…から送信される都度、該当する対象者情報に紐付けて、病院情報システムのデータベースに保存するようにしてもよい。
【符号の説明】
【００７０】
１    監視装置
２    報知器
３    通信器
４    端末器
５    検出器
６    送受信器
７    撮像器
５１    赤外線検出素子
５３    第１遅延回路
５４    第２遅延回路
Ｄ１    検出領域
Ｄ２    検出領域
Ｈ    対象者
Ｂ    ベッド（寝台）
【図１】
0003215201.tif 000003
【図２】
0003215201.tif 000004
【図３】
0003215201.tif 000005
【図４】
0003215201.tif 000006
【図５】
0003215201.tif 000007
【図６】
0003215201.tif 000008
【手続補正書】
【提出日】平成29年12月26日(2017.12.26)
【手続補正１】
【補正対象書類名】実用新案登録請求の範囲
【補正対象項目名】請求項１
【補正方法】変更
【補正の内容】
【請求項１】
対象者が横臥する寝台又は当該寝台の近傍に配置され、赤外線検出素子にて前記寝台に横臥した対象者の存否を検出して信号を出力する検出器と、該検出器からの信号を受信して警報を報知する報知器とを備える監視装置であって、
前記検出器は、前記寝台の表面から所定高さ位置までの領域を非検出領域に、また、前記寝台の表面に対向し、前記非検出領域より高い領域を検出領域になしてあり、
前記検出器は、前記赤外線検出素子から検出信号が、予め定めた時間の間以上与えられた場合に、警報信号を出力する信号出力手段を具備する
ことを特徴とする監視装置。
【手続補正２】
【補正対象書類名】実用新案登録請求の範囲
【補正対象項目名】請求項３
【補正方法】変更
【補正の内容】
【請求項３】
前記信号出力手段は、赤外線検出素子からの検出信号を遅延させる遅延回路と、対をなす入力端子を設けてなる比較器と、警報信号を発信する警報信号発信回路とを有し、
前記比較器の一方の入力端子と前記遅延回路の出力端子とが接続してあり、比較器の他方の入力端子と前記赤外線検出素子の出力端子とが接続してあり、
比較器は両入力端子に信号が入力された場合、警報信号発信回路から警報信号を発信させるように構成してある
請求項１又は２記載の監視装置。
【手続補正３】
【補正対象書類名】実用新案登録請求の範囲
【補正対象項目名】請求項４
【補正方法】変更
【補正の内容】
【請求項４】
前記遅延回路は少なくとも２つ設けてあり、一方の遅延回路の遅延時間は他方の遅延回路の遅延時間より長くしてあり、
前記検出器には、両遅延回路を切り替えるための切替器が設けてある
請求項３記載の監視装置。
【手続補正４】
【補正対象書類名】明細書
【補正対象項目名】０００９
【補正方法】変更
【補正の内容】
【０００９】
（１）本考案に係る監視装置は、対象者が横臥する寝台又は当該寝台の近傍に配置され、赤外線検出素子にて前記寝台に横臥した対象者の存否を検出して信号を出力する検出器と、該検出器からの信号を受信して警報を報知する報知器とを備える監視装置であって、前記検出器は、前記寝台の表面から所定高さ位置までの領域を非検出領域に、また、前記寝台の表面に対向し、前記非検出領域より高い領域を検出領域になしてあり、前記検出器は、前記赤外線検出素子から検出信号が、予め定めた時間の間以上与えられた場合に、警報信号を出力する信号出力手段を具備することを特徴とする。
【手続補正５】
【補正対象書類名】明細書
【補正対象項目名】００１２
【補正方法】変更
【補正の内容】
【００１２】
ところで、前述した検出器は、寝台の表面から所定高さ位置までの領域を非検出領域に、また、当該寝台の表面に対向し、前記非検出領域より高い領域を検出領域になしてある。一方、検出器は警報信号を出力する信号出力手段を具備しており、該信号出力手段は、赤外線検出素子から検出信号が、予め定めた時間の間以上与えられた場合に警報信号を出力する。
【手続補正６】
【補正対象書類名】明細書
【補正対象項目名】００１９
【補正方法】変更
【補正の内容】
【００１９】
（３）本考案に係る監視装置は、前記信号出力手段は、赤外線検出素子からの検出信号を遅延させる遅延回路と、対をなす入力端子を設けてなる比較器と、警報信号を発信する警報信号発信回路とを有し、前記比較器の一方の入力端子と前記遅延回路の出力端子とが接続してあり、比較器の他方の入力端子と前記赤外線検出素子の出力端子とが接続してあり、比較器は両入力端子に信号が入力された場合、警報信号発信回路から警報信号を発信させるように構成してあることを特徴とする。
【手続補正７】
【補正対象書類名】明細書
【補正対象項目名】００２０
【補正方法】変更
【補正の内容】
【００２０】
本考案の監視装置にあっては、前述した信号出力手段は、赤外線検出素子からの検出信号を遅延させる遅延回路と、対をなす入力端子を設けてなる比較器と、警報信号を発信する警報信号発信回路とを有している。この比較器の一方の入力端子と遅延回路の出力端子とが接続してあり、また、比較器の他方の入力端子と赤外線検出素子の出力端子とが接続してある。そして、比較器は両入力端子に信号が入力された場合、すなわち、遅延回路に設定された遅延時間の間、継続して赤外線検出素子からの検出信号が比較器に入力された場合、警報信号発信回路から警報信号を発信させる。このように比較的簡単な構成で信号出力手段を形成することができ、部品コストを可及的に廉価にすることができる。
【手続補正８】
【補正対象書類名】図面
【補正対象項目名】図３
【補正方法】変更
【補正の内容】
【図３】
0003215201.tif 000009